(57)【特許請求の範囲】
【請求項１】
上面開口の凹部の内底面に、中央固定接点およびこれを挟んで点対称位置に電気的に独立して配設された二つの周辺固定接点を備え、これらの各固定接点と導通した接続端子を各々外周に有する絶縁樹脂製のスイッチケースと、中央に中央孔を有し、上記二つの周辺固定接点の中心間隔とほぼ同一の直径のリング部およびそのリング部中心に対して点対称位置から上記リング部の直径と同等以下の巾寸法で各々突出した二つの対称形状の突出部からなって、この突出部を、突出方向における中間部で下方に曲げたものとし、この曲げ高さを用いて、上記リング部が上記各周辺固定接点の上方に所定の間隔をあけて対峙するように上記スイッチケースの凹部内に配された弾性金属薄板製の第１可動接点と、上記第１可動接点のリング部上に載せられた上方に球面状に湾曲したドーム部を持つ第２可動接点と、この第２可動接点の上方位置に上下動可能に収容され、上記第２可動接点のドーム部上面中央を押圧する押圧部を有する駆動体を備えたプッシュオンスイッチ。
【請求項２】
第１可動接点及び第２可動接点に突起部を各々設けると共に、スイッチケースの内壁部に溝部を設け、上記各突起部を上記溝部内に位置させるようにして上記第１および第２可動接点の位置規制をした請求項１記載のプッシュオンスイッチ。
【請求項３】
第１可動接点の突出部と常に接触する外周固定接点をスイッチケース内に、この外周固定接点と導通した接続端子をスイッチケースの外周にそれぞれ配設した請求項１記載のプッシュオンスイッチ。
【請求項４】
スイッチケースの凹部の形状が、内底面の二つの周辺固定接点を結ぶ方向に長い長方形で、その内底面を挟んで平行な長い平面状の壁部の一方の側に全ての接続端子が突出した請求項１記載のプッシュオンスイッチ。
【請求項５】
スイッチケースと一体に、接続端子が突出した平面状の壁部と同一平面を有する後方への拡大部を設けた請求項４記載のプッシュオンスイッチ。
【請求項６】
スイッチケースの内底面に段部を設け、上記段部上に第１可動接点の突出部を載せたものとし、この段差を用いて、上記第１可動接点のリング部を各周辺固定接点の上方に所定の間隔をあけて対峙させるようにした請求項１記載のプッシュオンスイッチ。
【請求項７】
スイッチケースの凹部内に構成した接点部分を防塵するため、当該接点部分の一部である第２可動接点上に配した絶縁シートで上記接点部分を覆う構成とした請求項１記載のプッシュオンスイッチ。
【請求項８】
第１可動接点として、動作時に節度感触のないものを配すると共に、駆動体の押圧部と第２可動接点間に所定の隙間を有するように上記駆動体を上方に位置させるバネ体を設けた請求項１記載のプッシュオンスイッチ。
【請求項９】
バネ体として、節度感触を有するものを用いた請求項８記載のプッシュオンスイッチ。
【発明の詳細な説明】
【０００１】
【発明の属する技術分野】
本発明は、各種電子機器の入力操作部に使用され、軽く押圧操作するとまず第一のスイッチが動作し、更に強く押圧操作すると続いて第二のスイッチが節度を伴って動作する二段動作のプッシュオンスイッチに関するものである。
【０００２】
【従来の技術】
近年の小型・高密度化した電子機器の入力操作部に使用されるプッシュオンスイッチは、装着スペースが限定されるために小型・細巾であることが求められている。
【０００３】
従来のこの種の二段動作のプッシュオンスイッチの内容について、図２６〜図３１を用いて説明する。
【０００４】
図２６は従来のプッシュオンスイッチの外観斜視図、図２７は同正面断面図、図２８は同要部であるスイッチケースの平面図、図２９は同要部である可動接点の平面図である。
【０００５】
同図において、１は、上面開口の円形凹部１Ａの内底面に、中央固定接点２Ａおよびこれを挟んで点対称位置に電気的に独立した二つの周辺固定接点２Ｂ，２Ｃを備え、これらの各固定接点２Ａ〜２Ｃと導通した接続用端子３Ａ〜３Ｃを外周側部に備える絶縁樹脂製のスイッチケースである。
【０００６】
４は、上記二つの周辺固定接点２Ｂ，２Ｃの中心間隔とほぼ同一の直径で上方に球面状に湾曲したドーム部５および、このドーム部５を所定の傾斜状態に維持するように、その外方に一定の間隔をあけて可撓性を有する細巾の連結部６で同心状に繋がれた円形リング部７からなる弾性金属薄板製の可動接点である。
【０００７】
この可動接点４は、ドーム部５の外周が周辺固定接点２Ｂ，２Ｃ上に所定の間隔をあけて位置するように、スイッチケース１の円形凹部１Ａ内に収容されている。
【０００８】
そして、弾性を有する絶縁フィルム製のシート８がスイッチケース１の上面開口部を覆い、このシート８は、その上から中央に貫通孔９Ａを有するカバー９で挟持されている。
【０００９】
このカバー９は、スイッチケース１に固定されており、これらで従来のプッシュオンスイッチは構成されている。
【００１０】
次に、このような従来のプッシュオンスイッチの動作について、図３０および図３１の正面断面図を用いて説明する。
【００１１】
図３０に示すように、カバー９の貫通孔９Ａからシート８を介して、操作体１０（二点鎖線で示す）により可動接点４のドーム部５を押圧操作すると、ドーム部５は球面状のままで連結部６が撓むことによって、ドーム部５は下方に動いて、外周が二つの周辺固定接点２Ｂと２Ｃに接触して、両者の間すなわち接続端子３Ｂと３Ｃの間を導通させ、第一のスイッチとして動作する。
【００１２】
この状態から更に、操作体１０により可動接点４のドーム部５を強く押し下げると、今度は、図３１に示すように、ドーム部５が節度を伴いながら下膨らみ状態に弾性反転して、ドーム部５の中心部が中央固定接点２Ａに接触し、第一のスイッチとして導通した二つの周辺固定接点２Ｂ，２Ｃに加えて中央固定接点２Ａすなわち接続端子３Ａとの間を導通させ、第二のスイッチとして動作する。
【００１３】
この後、操作体１０による可動接点４のドーム部５への押圧力を除くと、まずドーム部５が弾性復元力により節度を伴って上方への球面状に復帰することによって、その中心部が中央固定接点２Ａから離れて第二のスイッチがオフ状態に戻り、続いて連結部６が上方へ傾斜した状態に戻ることによって、図２７に示すドーム部５の外周が周辺固定接点２Ｂ，２Ｃから離れて、第一のスイッチもオフ状態に戻るものであった。
【００１４】
なお、この出願の発明に関連する先行技術文献情報としては、例えば、特許文献１が知られている。
【００１５】
【特許文献１】
特開平１１−２３２９６２号公報
【００１６】
【発明が解決しようとする課題】
しかしながら上記従来の二段動作のプッシュオンスイッチは、第二のスイッチの動作時に節度を伴って反転動作するドーム部５の外方に、円形リング部７が同心状に繋がれた可動接点４を使用するものであるから、この可動接点４を収容するスイッチケース１の外形すなわちプッシュオンスイッチの外形が大きく、巾広い装着スペースが必要であるという課題があった。
【００１７】
また、近年の機器の多様化に伴い、上記二段動作のプッシュオンスイッチに対しても、様々な操作力のものが要望されるようになってきており、従来のものは、ドーム部５と円形リング部７が一体となった可動接点４にて第一のスイッチと第二のスイッチの動作を行うものであったため、二つのスイッチにおける個々のスイッチ操作力などの設定を個別に変えにくく、顧客の要望に対して、より柔軟に対応できるものが求められるようになってきた。
【００１８】
本発明は、このような従来の課題を解決するものであり、外形の巾寸法が、操作時に節度を伴って動作する一段動作のプッシュオンスイッチと略同等の細巾で装着スペースが少なくてすみ、各スイッチにおける操作力などの設定が容易にできる二段動作のプッシュオンスイッチを提供することを目的とする。
【００１９】
【課題を解決するための手段】
上記目的を達成するために本発明は、以下の構成を有するものである。
【００２０】
本発明の請求項１に記載の発明は、上面開口の凹部の内底面に、中央固定接点およびこれを挟んで点対称位置に電気的に独立して配設された二つの周辺固定接点を備え、これらの各固定接点と導通した接続端子を各々外周に有する絶縁樹脂製のスイッチケースと、中央に中央孔を有し、上記二つの周辺固定接点の中心間隔とほぼ同一の直径のリング部およびそのリング部中心に対して点対称位置から上記リング部の直径と同等以下の巾寸法で各々突出した二つの対称形状の突出部からなって、この突出部を、突出方向における中間部で下方に曲げたものとし、この曲げ高さを用いて、上記リング部が上記各周辺固定接点の上方に所定の間隔をあけて対峙するように上記スイッチケースの凹部内に配された弾性金属薄板製の第１可動接点と、上記第１可動接点のリング部上に載せられた上方に球面状に湾曲したドーム部を持つ第２可動接点と、この第２可動接点の上方位置に上下動可能に収容され、上記第２可動接点のドーム部上面中央を押圧する押圧部を有する駆動体を備えたプッシュオンスイッチとしたものであり、第１可動接点の巾寸法が、二つの周辺固定接点の中心間隔とほぼ同一の直径のリング部と同等以下であると共に、動作時に節度を伴って弾性反転する第２可動接点もリング部上に載せられたものであるので、これを収容するスイッチケースの巾寸法すなわちプッシュオンスイッチの巾寸法が、動作時に節度を伴ってオンとなる一段動作のプッシュオンスイッチと略同等でありながら、駆動体を押圧操作することにより、まず第１可動接点の二つの突出部が弾性変形して二つの周辺固定接点の間が導通し、次に第２可動接点のドーム部が節度を伴って弾性反転して中央固定接点との間が導通する細巾の二段動作のプッシュオンスイッチを実現でき、しかも、個別の第１および第２可動接点を組み合わせているため、個々のスイッチ操作力などの調整や設定が容易にできるという作用効果を有する。
【００２１】
請求項２に記載の発明は、請求項１記載の発明において、第１可動接点及び第２可動接点に突起部を各々設けると共に、スイッチケースの内壁部に溝部を設け、上記各突起部を上記溝部内に位置させるようにして上記第１および第２可動接点の位置規制をしたものであり、第１及び第２可動接点の位置規制が確実にでき、それらの配置精度が安定するため、操作時の挙動が安定化するという作用効果を有する。
【００２２】
請求項３に記載の発明は、請求項１記載の発明において、第１可動接点の突出部と常に接触する外周固定接点をスイッチケース内に、この外周固定接点と導通した接続端子をスイッチケースの外周にそれぞれ配設したものであり、駆動体を押し下げることにより、まず第１可動接点の二つの突出部が弾性変形して、外周固定接点と二つの周辺固定接点との間すなわち三つの接点の間が導通し、次に第２可動接点のドーム部が節度を伴って弾性反転して中央固定接点との間が導通する多回路的な使用が可能な細巾の二段動作のプッシュオンスイッチを実現できるという作用効果を有する。
【００２３】
請求項４に記載の発明は、請求項１記載の発明において、スイッチケースの凹部の形状が、内底面の二つの周辺固定接点を結ぶ方向に長い長方形で、その内底面を挟んで平行な長い平面状の壁部の一方の側に全ての接続端子が突出したものであり、スイッチケースの接続端子が突出した側の平面部を取付面として、接続端子を使用電子機器の配線基板に半田付け等の方法で接続固定することによって、配線基板面に対して平行な方向に押圧操作するタイプで配線基板からの高さ寸法が小さく、薄型携帯用電子機器の側面操作用等に好適な二段動作のプッシュオンスイッチを実現できるという作用効果を有する。
【００２４】
請求項５に記載の発明は、請求項４記載の発明において、スイッチケースと一体に、接続端子が突出した平面状の壁部と同一平面を有する後方への拡大部を設けたものであり、使用電子機器の配線基板に対して平行な方向の押圧操作力が加わる際に、スイッチケースが後方へ傾くことに対する耐力が大きいものにできるという作用効果を有する。
【００２６】
請求項６に記載の発明は、請求項１記載の発明において、スイッチケースの内底面に段部を設け、上記段部上に第１可動接点の突出部を載せたものとし、この段差を用いて、上記第１可動接点のリング部を各周辺固定接点の上方に所定の間隔をあけて対峙させるようにしたものであり、第１可動接点のリング部と各周辺固定接点との絶縁距離が容易に安定した状態で確保されたものにできるという作用効果を有する。
【００２７】
請求項７に記載の発明は、請求項１記載の発明において、スイッチケースの凹部内に構成した接点部分を防塵するため、当該接点部分の一部である第２可動接点上に配した絶縁シートで上記接点部分を覆う構成としたものであり、スイッチ接点部に塵埃などが入ることが防止できる防塵構造のものを安価に実現できるという作用効果を有する。
【００２８】
請求項８に記載の発明は、請求項１記載の発明において、第１可動接点として、動作時に節度感触のないものを配すると共に、駆動体の押圧部と第２可動接点間に所定の隙間を有するように上記駆動体を上方に位置させるバネ体を設けたものであり、誤って駆動体に触れたりした際、当該駆動体の押圧部で第２可動接点を押して節度感触のない第１可動接点が周辺固定接点に誤接触することを容易に防止することができるという作用効果を有する。
【００２９】
請求項９に記載の発明は、請求項８記載の発明において、バネ体として、節度感触を有するものを用いたものであり、請求項８に記載の発明による作用効果に加え、第１可動接点として節度感触のないものを用いているにも拘らず、一段目の操作時に節度感触が得られるものにできると共に、上記バネ体を変えるのみで一段目の節度感触の異なるものが様々実現できるという作用効果を有する。
【００３０】
【発明の実施の形態】
以下、本発明の実施の形態について、図１〜図２５を用いて説明する。
【００３１】
（実施の形態１）
実施の形態１を用いて、本発明の特に請求項１〜３，６に記載の発明について説明する。
【００３２】
図１は本発明の第１の実施の形態によるプッシュオンスイッチの正面断面図、図２は同外観斜視図、図３は同分解斜視図である。
【００３３】
同図において１１は絶縁樹脂製のスイッチケースで、同図および図４のスイッチケースの平面図に示すように、上面開口の凹部１１Ａの内底面に中央固定接点１２Ａおよびこれを挟んで点対称位置に、電気的に独立した二つの周辺固定接点１２Ｂ，１２Ｃを備え、それぞれの固定接点１２Ａ〜１２Ｃと導通した接続端子１３Ａ〜１３Ｃを各々外周側部に備えていることは従来の技術の場合と同様であるが、凹部１１Ａの上面視の形状は長方形となっている。
【００３４】
また、スイッチケース１１は、外形が上面視略長方形で細巾となっている。
【００３５】
そして、スイッチケース１１の凹部１１Ａ内に収容された１４は弾性金属薄板製の第１可動接点で、図１、図３および図５の第１可動接点の平面図に示すように、スイッチケース１１の二つの周辺固定接点１２Ｂ，１２Ｃの中心間隔とほぼ同一直径の平面部の中央に中央孔１５Ｂを有するリング部１５Ａ及び、その中心に対して点対称位置の外周から水平方向に突出した二つの対称形状の突出部１６,１７とで構成されている。
【００３６】
この突出部１６（１７）は、各々、リング部１５Ａ外周から水平方向でリング部１５Ａと同一高さ位置に伸ばされた一対の脚部１６Ａ（１７Ａ）が、中間位置で下方に折り曲げられ、その先端が連結部１６Ｂ（１７Ｂ）で連結されたものとなっている。
【００３７】
そして、この突出部１６，１７は、脚部１６Ａ，１７Ａおよびその先端の連結部１６Ｂ，１７Ｂを含んで巾寸法がリング部１５Ａの直径と同等に設定されているので、第１可動接点１４全体としての外形は、上面視で、ほぼ長方形であると共に、下方に傾いた各連結部１６Ｂ，１７Ｂの端部１６Ｃ，１６Ｄおよび１７Ｃ，１７Ｄが、スイッチケース１１の長方形の凹部１１Ａ四隅に設けられた段部１８Ａ〜１８Ｄ上に載せられることによって、リング部１５Ａの外周下面がスイッチケース１１の二つの周辺固定接点１２Ｂ，１２Ｃの上方に所定の間隔をあけて対峙している。
【００３８】
そして、リング部１５Ａの中央孔１５Ｂは、中央固定接点１２Ａよりも大きい径で設けられ、上記第１可動接点１４の配置状態で、中央孔１５Ｂの中心は第１可動接点１４の中心位置に合っている。
【００３９】
なお、第１可動接点１４の突出部１６，１７の巾寸法は、リング部１５Ａの直径よりも小さくしてもよいが、第１可動接点１４全体の巾寸法が大きくならない範囲において大きくした方が配置時の安定性が高いので、リング部１５Ａの直径と同等に設定してある。
【００４０】
また、第１可動接点１４の突出部１６，１７先端の連結部１６Ｂ，１７Ｂを直接、スイッチケース１１の内底面上に置いてもよく、この場合でも、第１可動接点１４は突出部１６，１７の脚部１６Ａ，１７Ａが中間位置で下方に折り曲げられているため、第１可動接点１４のリング部１５Ａと各周辺固定接点１２Ｂ，１２Ｃとの絶縁距離は容易に安定した状態で確保されたものとなる。
【００４１】
そして、上記のようにスイッチケース１１内に配された第１可動接点１４に対し、中央が上方に球面状に湾曲したドーム部３４Ａとなった第２可動接点３４が、第１可動接点１４のリング部１５Ａの平面部分上に載せられている。
【００４２】
このとき第２可動接点３４は、中央位置が、第１可動接点１４のリング部１５Ａに設けられた中央孔１５Ｂの中央位置に合わされており、かつ両可動接点１４と３４は電気的に導通状態となっている。
【００４３】
また、スイッチケース１１の凹部１１Ａ内に上下動可能に収容された１９は、このプッシュオンスイッチを押圧操作するための絶縁樹脂製の駆動体で、下方の押圧部１９Ａが第２可動接点３４のドーム部３４Ａ上面中央に当接し、上方の操作部１９Ｂが凹部１１Ａの開口部を覆うカバー２０の貫通孔２０Ａから突出している。
【００４４】
また、駆動体１９の押圧部１９Ａと操作部１９Ｂとの間の中間部１９Ｃは、凹部１１Ａ内壁に対し所定隙間が開くような上面視長方形の板状に設けられ、この中間部１９Ｃ上面がカバー２０に当接状態になっている。
【００４５】
つまり、駆動体１９は、第２可動接点３４のドーム部３４Ａ上とカバー２０下面とによって挟み込まれた保持状態になっている。
【００４６】
このカバー２０は、金属薄板を打抜き・曲げ加工して形成されたものであり、スイッチケース１１の凹部１１Ａの開口部を覆うように、対向した折り曲げ部の四つの爪２０Ｂをスイッチケース１１の外周側面の四つの突起１１Ｂに引掛けることによって固定されている。
【００４７】
なお、カバー２０は必ずしも金属薄板で形成する必要はなく樹脂材料で形成してもよく、また貫通孔を有するフィルム等をスイッチケース１１の凹部１１Ａの開口部の周囲に貼り付けても同様の機能を果たすものにできる。
【００４８】
さらには、駆動体１９を無くして、フィルム等を貼り付けてスイッチケース１１の凹部１１Ａの開口部を塞ぐものとしてもよい。
【００４９】
本実施の形態１によるプッシュオンスイッチは以上のように構成されるものであり、次にその動作について説明する。
【００５０】
図１に示すスイッチ・オフの状態において、駆動体１９の操作部１９Ｂを押圧操作すると、駆動体１９は、中間部１９Ｃ外周をスイッチケース１１の凹部１１Ａの内壁に案内されて下方に動き、下方の押圧部１９Ａが第２可動接点３４の中央に下方への押し下げ力を加える。
【００５１】
このとき、第２可動接点３４のドーム部３４Ａは、図６の押圧操作時の動作状態を説明する正面断面図に示すように、元の状態を維持したまま、つまり上方に湾曲した球面ドーム形状のままで、第１可動接点１４の二つの突出部１６，１７の脚部１６Ａ，１７Ａが節度を持って弾性変形する。
【００５２】
なお、第１可動接点１４は、二つの突出部１６，１７の脚部１６Ａ，１７Ａの弾性変形時に節度を発生させないものであってもよい。
【００５３】
これによりリング部１５Ａが下方に動いて外周下面が二つの周辺固定接点１２Ｂと１２Ｃに接触し、両者の間すなわち接続端子１３Ｂと１３Ｃ（図６には接続端子１３Ｂは図示せず）の間を導通させて、第一のスイッチとして動作する。
【００５４】
このとき、リング部１５Ａの中央孔１５Ｂが、中央固定接点１２Ａよりも大きい径で、かつ上下方向で中央固定接点１２Ａの中心と合わされているため、リング部１５Ａと中央固定接点１２Ａは接触せず、また、第２可動接点３４も上方へのドーム状のままでリング部１５Ａ上に載っているため、中央固定接点１２Ａは電気的独立状態を維持している。
【００５５】
次に、この状態から更に、駆動体１９を押し下げると、図７に示すように、ドーム部３４Ａの中央が節度を伴いながら下膨らみ状態に弾性反転して、第１可動接点１４の中央孔１５Ｂから、その中心部下面が表出して中央固定接点１２Ａに接触し、第１可動接点１４を介して、第一のスイッチとして導通した二つの周辺固定接点１２Ｂ，１２Ｃに加えて中央固定接点１２Ａすなわち接続端子１３Ａとの間が導通して、第二のスイッチとして動作する。
【００５６】
そして、駆動体１９の操作部１９Ｂに対する押圧力を除くと、まず、第２可動接点３４のドーム部３４Ａ中央が弾性復元力により節度を伴って上方への球面ドーム状に復帰することによって、その中心部が中央固定接点１２Ａから離れて第二のスイッチがオフ状態に戻ると共に、第１可動接点１４の突出部１６，１７の脚部１６Ａ，１７Ａが、先端側が下方へ傾斜した元の状態に弾性復帰することによって、第１可動接点１４のリング部１５Ａの外周下面が周辺固定接点１２Ｂ，１２Ｃから離れ、第一のスイッチもオフ状態に戻る。
【００５７】
なお、図３などにも示してあるように、第１可動接点１４及び第２可動接点３４に、各々突起部１５Ｃ及び３４Ｂを設け、それらをスイッチケース１１に設けた内壁溝部１１Ｃ内に位置させるようにして組み込むことにより、第１可動接点１４及び第２可動接点３４の位置規制が容易にできて配置精度が安定し、スイッチのオン、オフ操作時の可動接点１４および３４の挙動を安定化させることができる。
【００５８】
なお、第１可動接点１４の突起部１５Ｃは、突出部１６および１７の延出方向と直交する方向で、リング部１５Ａの中心位置を通る中心軸線上の両側部に設けると、安定性の良いものとなる。
【００５９】
そして、上記の突起部１５Ｃを備えた第１可動接点１４に対し、第２可動接点３４の突起部３４Ｂは、上述のように第１可動接点１４及び第２可動接点３４をスイッチケース１１に配した状態で、同じ位置に位置するように、同形状で形成しておくと、スイッチケース１１の内壁溝部１１Ｃによる規制度合いが同じ状態になるので好ましく、また、この場合には、第１可動接点１４と第２可動接点３４とを予め重ね合わせた状態とし、その内壁溝部１１Ｃに各突起部１５Ｃ及び３４Ｂを沿わせるようにして同時にスイッチケース１１内に挿入装着することも容易となる。
【００６０】
このように本実施の形態によれば、第１可動接点１４全体の巾寸法が、リング部１５Ａおよびその上に載せられている動作時に節度を伴って弾性反転する第２可動接点３４のドーム部３４Ａの直径と略同等であるので、これを収容するスイッチケース１１の巾寸法すなわちプッシュオンスイッチの巾寸法が、動作時に節度を伴ってオンとなる一段動作のプッシュオンスイッチと同等でありながら、駆動体１９の操作部１９Ｂを押圧操作することにより、まず第１可動接点１４の二つの突出部１６，１７が弾性変形して二つの周辺固定接点１２Ｂ，１２Ｃの間が導通し、次に第２可動接点３４のドーム部３４Ａが節度を伴って弾性反転して、中央固定接点１２Ａとの間が導通する、細巾の二段動作のプッシュオンスイッチを実現できるものである。
【００６１】
なお、以上に説明したプッシュオンスイッチでは、スイッチ・オフの状態において第１可動接点１４は接続端子１３Ａ〜１３Ｃの何れにも導通していないが、これをコモン接続端子と導通させている構成のものについて、次に説明する。
【００６２】
すなわち、図８の他の構成のスイッチケースの平面図に示すように、スイッチケース２１の凹部２１Ａの四つの段部２２Ａ〜２２Ｄのうち、第１可動接点１４の一方の突出部１７の連結部１７Ｂの端部１７Ｃが載る段部２２Ｃに、外周固定接点としてのコモン接点２３（図中、ハッチングで示す）を設ける。
【００６３】
このときに、スイッチケース２１に配された中央固定接点２５Ａと導通する接続端子２４Ａは一つにして、コモン接点２３と導通させたコモン接続端子２４Ｄを付加するとよい。
【００６４】
なお、スイッチケース２１に配された二つの周辺固定接点２５Ｂ，２５Ｃおよびそれぞれと導通した接続端子２４Ｂ，２４Ｃの構成は上記のスイッチケース１１の場合と同様である。
【００６５】
そして、図９のスイッチケースに第１可動接点１４を収容した状態の平面図に示すように、スイッチケース２１の凹部２１Ａ内に第１可動接点１４を収容し、続いて、上記の場合と同様に、第１可動接点１４に重ねて第２可動接点３４等（図示せず）を収容して組み立てる。
【００６６】
このようにして構成されたプッシュオンスイッチは、第１可動接点１４の一方の突出部１７の端部１７Ｃが、常時、コモン接点２３すなわちコモン接続端子２４Ｄと導通しているので、駆動体１９（図示せず）を押圧操作すると、まず第一スイッチとしての動作で、図１０の接続状態を説明する回路図において、コモン接続端子２４Ｄと接続端子２４Ｂおよび２４Ｃとの間が導通し、次に第二スイッチとしての動作で、図１１に矢印で示すように、上記三つの接続端子に加えて、接続端子２４Ａとの間も導通するものにでき、多回路的な使用が可能なものにできる。
【００６７】
なお、スイッチケース２１の二つの周辺固定接点２５Ｂ，２５Ｃは必ずしも電気的に独立させておく必要はなく、使用時の都合によっては、あらかじめ導通した構成としてもよいものである。
【００６８】
次に、各スイッチの操作力などの設定方法について、図１２のフィーリングカーブ図を用いて説明する。
【００６９】
同図において、３２は、上記に説明した第１可動接点１４のフィーリングカーブ、３３は、同第２可動接点３４のフィーリングカーブである。
【００７０】
ここで、本発明のプッシュオンスイッチは、第１可動接点１４の上に、第２可動接点３４を積載した構成であると共に、第一スイッチの作動時には第２可動接点３４は下方に移動するのみであるため、第一スイッチの操作力及び動作ストロークは、第１可動接点１４の操作力及び動作ストロークとなる。
【００７１】
したがって、第一スイッチの操作力及び動作ストロークを変更する場合には、第１可動接点１４の形状及び材質等を変更することで調整および設定が可能である。
【００７２】
また、これに対して第二スイッチの操作力及び動作ストロークは、第１可動接点１４と第２可動接点３４とのものを合成したものとなり（図１２中の符号３５のフィーリングカーブ）、第二スイッチの上記パラメータを変更する場合には、第１可動接点１４または第２可動接点３４の何れかの形状及び材質等を変更することで調整および設定が可能である。
【００７３】
すなわち、本発明によるプッシュオンスイッチは、第一および第二スイッチの操作力や動作ストロークなどの各パラメータ設定時に、第１および第２可動接点１４および３４を選択して適宜組み合わせることにより、希望する特性のものが容易に得られ、従来のものよりも設定の自由度も大きくなり、要望された特性のものに対する迅速対応も可能となる。
【００７４】
なお、この時の製品の動作寿命特性は、第１可動接点１４及び第２可動接点３４の動作寿命特性がそのまま反映される。
【００７５】
なお、第１可動接点１４の動作時に節度を無くしたものとしても、このことは同様である。
【００７６】
以上のように、本発明によるものは、第１可動接点１４と第２可動接点３４を独立した構造とすることで、第一スイッチと第二スイッチの操作力、動作ストローク、動作寿命特性などを、容易にそれぞれ個別に調整および設定できるものである。
【００７７】
なお、第１可動接点１４の突出部１６（１７）は、巾寸法がリング部１５Ａの直径と同等以下に設定されているものであれば、上記に説明した二つの脚部１６Ａ（１７Ａ）が連結部１６Ｂ（１７Ｂ）で連結された形状以外のものであってもよい。
【００７８】
（実施の形態２）
実施の形態２を用いて、本発明の特に請求項４および５に記載の発明について説明する。
【００７９】
なお、実施の形態１の構成と同一構成の部分には同一符号を付して、詳細な説明を省略する。
【００８０】
図１３は本発明の第２の実施の形態によるプッシュオンスイッチの側面断面図、図１４は外観斜視図である。
【００８１】
同図に示すように、本実施の形態によるプッシュオンスイッチは上記の実施の形態１によるものに対して、スイッチケースから接続端子の突出する方向が異なるものである。
【００８２】
すなわち、図１３、図１４および図１５のスイッチケースの正面図に示すように、スイッチケース２６の凹部２６Ａの形状が、上面視で内底面の中央固定接点２７Ａを挟んで点対称位置に配設された二つの周辺固定接点２７Ｂ，２７Ｃを結ぶ方向に長い長方形であることは、実施の形態１と同じであるが、底面を挟んで平行な上下の壁部２８Ａ，２８Ｂの外周面は横長の平面状となっている。
【００８３】
そして、中央固定接点２７Ａおよび周辺固定接点２７Ｂ，２７Ｃと導通した接続端子２９Ａおよび２９Ｂ，２９Ｃは、平行な壁部２８Ａ，２８Ｂの一方である下面側の壁部２８Ｂから垂直方向に突出している。
【００８４】
また、スイッチケース２６の凹部２６Ａ内に、第１可動接点１４、第２可動接点３４および駆動体１９が実施の形態１の場合と同様に収納されていることも同じであるが、スイッチケース２６の凹部２６Ａの開口部を覆うカバー３０の折り曲げ部の四つの爪３０Ａは、スイッチケース２６の上下の平行な壁部２８Ａ，２８Ｂではなく側方面の平行な壁部２８Ｃ，２８Ｄの外周面に設けられた四つの突起２６Ｂに引掛けられている。
【００８５】
すなわち、スイッチケース２６の上下の壁部２８Ａ，２８Ｂはほぼ完全な平面状となって、両者間の外側寸法であるスイッチケース２６の高さ寸法が低くなるように設定されている。
【００８６】
このような構成の本実施の形態２によるプッシュオンスイッチの動作は実施の形態１によるものと同じであるので、説明を省略する。
【００８７】
そして、本実施の形態によるプッシュオンスイッチを、図１６の使用電子機器の配線基板に装着した状態の部分断面の側面図に示すように、スイッチケース２６の下面側の壁部２８Ｂを取付面とし、接続端子２９Ａ〜２９Ｃを使用電子機器の配線基板３１の孔３１Ａに各々挿入し半田付けして接続固定すると、配線基板３１の面に対して平行な方向に押圧操作するタイプで配線基板３１からの高さ寸法が小さいプッシュオンスイッチとして使用することができる。
【００８８】
そして、図１６に一点鎖線で示すように、スイッチケース２６と一体に、接続端子２９Ａ〜２９Ｃが突出した下面側の壁部２８Ｂと同一平面を有する後方への拡大部２８Ｅを設けることにより、使用電子機器の配線基板３１に対して平行な方向の押圧操作力が加わる際に、スイッチケース２６が後方へ傾くことに対する耐力を大きくすることができる。
【００８９】
従って、本実施の形態２のものによれば、薄型携帯用電子機器の側面操作用等に好適な高さ寸法の低い二段動作のプッシュオンスイッチを実現できるものである。
【００９０】
なお、以上の本実施の形態２によるプッシュオンスイッチにおいて、接続端子２９Ａ〜２９Ｃはスイッチケース２６の下面側の壁部２８Ｂから垂直に突出し、この接続端子２９Ａ〜２９Ｃを配線基板３１の孔３１Ａに各々挿入して半田付けするタイプのものを例として説明したが、これは表面実装タイプの接続端子としてもよい。
【００９１】
（実施の形態３）
実施の形態３を用いて、本発明の特に請求項７〜９に記載の発明について説明する。
【００９２】
本実施の形態３によるプッシュオンスイッチは、上記の実施の形態１によるものに対し、接点部分などの構成が異なるものであるため、実施の形態１の構成と同一構成の部分には同一符号を付して、詳細な説明を省略する。
【００９３】
図１７は、本発明の第３の実施の形態によるプッシュオンスイッチの側面断面図、図１８は、同分解斜視図である。
【００９４】
同図に示すように、スイッチケース４１は、実施の形態１による場合と同様に、凹部４１Ａの内底面に配した中央固定接点１２Ａおよびこれを挟んで点対称位置に配設してある二つの周辺固定接点１２Ｂ，１２Ｃを結ぶ方向に上面視で外形を含めて長い長方形となっており、各々の固定接点１２Ａ〜１２Ｃの接続端子１３Ａ〜１３Ｃは、外周面から突出している。
【００９５】
そして、このスイッチケース４１は、内底面に各固定接点１２Ａ〜１２Ｃが配され、この内底面を囲うようにして、内側部に中間段部４２が設けられたものとなっている。
【００９６】
この中間段部４２には、スイッチケース４１の短手側の側辺部と直交する方向に溝部４２Ａが形成されており、その溝部４２Ａは、各固定接点１２Ａ〜１２Ｃを繋ぐ直線状の線分と中心線の位置が合わせられ、かつその底面はスイッチケース４１の内底面よりも所定高さで高くなるようにして設けられている。
【００９７】
そして、４３は、第１可動接点で、中央にリング部４３Ａを有し、そのリング部４３Ａの中心から点対称の位置に、二つの突出部４４，４５が設けられていることは実施の形態１のものと同じであるが、この突出部４４，４５の各々は、一定の幅寸法で外方に延出形成された単一脚部状のもので構成され、かつその中間部分での下方への曲げも施していないものからなっている。
【００９８】
すなわち、リング部４３Ａおよび突出部４４，４５からなる第１可動接点４３は一枚の平板状のものとなっている。
【００９９】
そして、上記スイッチケース４１の凹部４１Ａ内に構成された溝部４２Ａに対し、この第１可動接点４３の突出部４４，４５を収容状態に載せることにより、第１可動接点４３は、溝部４２Ａの側壁部で位置規制がなされた状態で配されている。
【０１００】
つまり、この状態で、第１可動接点４３のリング部４３Ａの下面と周辺固定接点１２Ｂ，１２Ｃとの間には、各固定接点１２Ａ〜１２Ｃが配されたスイッチケース４１の内底面から溝部４２Ａの底部までの所定間隔が維持された状態になっている。
【０１０１】
なお、第１可動接点４３におけるリング部４３Ａの中央孔４３Ｂは、中央固定接点１２Ａよりも大きい径で設けられ、上記第１可動接点４３の配置状態で、中央孔４３Ｂの中心は第１可動接点４３の中心位置に合わせられている。
【０１０２】
また、この第１可動接点４３は、金属薄板を打抜き加工をするのみで形成できるものであるため、容易かつ高精度に形成できる。
【０１０３】
そして、この第１可動接点４３のリング部４３Ａ上に第２可動接点３４が載せられてスイッチケース４１の凹部４１Ａ内に収容され、これらで本実施の形態３によるスイッチ接点部は構成されている。
【０１０４】
なお、上記配置状態で、両可動接点４３と３４は電気的に導通状態になっていると共に、第２可動接点３４の反転動作力に対し、第１可動接点４３の突出部４４，４５は、弱い操作力で撓むように構成されている。
【０１０５】
また、第２可動接点３４の中央位置は、第１可動接点４３のリング部４３Ａの中央孔４３Ｂの中央に合わせられ、その下方の中央固定接点１２Ａと対峙していることは実施の形態１によるものと同じである。
【０１０６】
なお、第２可動接点３４としては、突起部３４Ｂのないタイプのものを用い、上記第２可動接点３４の配置状態で、その外周部が、スイッチケース４１の中間段部４２の内壁で水平方向に位置規制されるようになっている。
【０１０７】
そして、５０は、裏面に粘着層を有する可撓性を有する絶縁シートで、中央部分裏面に第２可動接点３４の頂点部を貼り付けて位置決めしていると共に、外周部分裏面がスイッチケース４１の中間段部４２上に貼り付けられてスイッチケース４１に固定されスイッチ接点部を覆っている。
【０１０８】
この絶縁シート５０を配してスイッチ接点部を密閉状態にすることにより、容易かつ安価に当該スイッチ接点部に塵埃などが入ることを防止できる防塵構造のものが得られる。
【０１０９】
そして、上記構成のスイッチ接点部を防塵している絶縁シート５０の上には、節度を持って反転動作可能なバネ体５１が配され、このバネ体５１で駆動体５２が上方側に付勢される構成になっている。
【０１１０】
つまり、このバネ体５１は、所定幅の弾性金属薄板が側面視円弧形状のアーチ状に形成され、その両端の下端部５１Ａが、スイッチケース４１の中間段部４２上に載せられ、その頂点部５１Ｂ上に、駆動体５２の下方に設けた押圧部５２Ａが弾接している。
【０１１１】
このバネ体５１の頂点部５１Ｂおよび駆動体５２の押圧部５２Ａの各々の中央位置は、第１可動接点４３のリング部４３Ａの中央孔４３Ｂの中央に合わせられている。
【０１１２】
そして、上記バネ体５１の上方への付勢力によって、駆動体５２は、中間部５２Ｃの上面がカバー２０下面に当接状態に配され、その上方の操作部５２Ｂはカバー２０の貫通孔２０Ａから上方に突出している。
【０１１３】
なお、この駆動体５２の中間部５２Ｃは、スイッチケース４１の凹部４１Ａ内壁に対し所定隙間が開くような上面視長方形の板状に設けられ、この中間部５２Ｃ外周がスイッチケース４１の凹部４１Ａの内壁に案内されて駆動体５２は上下動可能に配されていることは、実施の形態１の場合と同じである。
【０１１４】
また、カバー２０は、スイッチケース４１の凹部４１Ａを覆うように四つの爪２０Ｂを、対応するスイッチケース４１の外周側面に設けた突起４１Ｂ（図１８参照）に引掛けることによって固定されていることも実施の形態１の場合と同じである。
【０１１５】
本実施の形態３によるプッシュオンスイッチは以上のように構成されるものであり、次にその動作について説明する。
【０１１６】
図１７に示すスイッチ・オフの状態において、駆動体５２の操作部５２Ｂを押圧操作すると、駆動体５２は、中間部５２Ｃ外周をスイッチケース４１の凹部４１Ａの内壁に案内されて下方に動き、下方の押圧部５２Ａがバネ体５１の頂点部５１Ｂに下方への押し下げ力を加える。
【０１１７】
このバネ体５１は、下端部５１Ａがスイッチケース４１の中間段部４２上に載せられて支持されているため、上記押し下げ力が所定の力を越えると節度をもって反転動作し、頂点部５１Ｂ下面が絶縁シート５０を介して第２可動接点３４のドーム部３４Ａの中央上面を下方に押し下げる。
【０１１８】
この第２可動接点３４に加わる押し下げ力は、それを載せている第１可動接点４３にも同時に加わり、上述したように第１可動接点４３の突出部４４，４５は、第２可動接点３４の反転動作力よりも弱い力で弾性変形するように構成されているため、その第１および第２可動接点４３および３４に加わる押し下げ力によって、第２可動接点３４は反転動作しないで上膨らみ状態のドーム状のまま、第１可動接点４３の突出部４４，４５が下方に弾性変形してリング部４３Ａが下方に下がる。
【０１１９】
そして、図１９に示すように、リング部４３Ａ下面が二つの周辺固定接点１２Ｂと１２Ｃに接触し、両者の間すなわち上記接続端子１３Ｂと１３Ｃ（図１９には接続端子１３Ｂは図示せず。）の間を導通させて、第一のスイッチとして動作する。
【０１２０】
なお、中央固定接点１２Ａよりも大きい径で設けられている第１可動接点４３におけるリング部４３Ａの中央孔４３Ｂは、中央固定接点１２Ａと中心が合わせられ、また第２可動接点３４は上方に膨らんだドーム形状のままであるため、上記中央固定接点１２Ａは電気的独立状態を維持している。
【０１２１】
また、上記の一段目の押圧操作時において、第１可動接点４３の突出部４４，４５は、小さい力で弾性変形する形状にしてあるため、バネ体５１の反転動作による節度感触の発生と、周辺固定接点１２Ｂと１２Ｃとの間の導通タイミングは殆ど同期したものにできる。
【０１２２】
次に、この状態から更に駆動体５２に押し下げ力を加えると、スイッチケース４１の凹部４１Ａ内底面上に第１可動接点４３を介して置かれることとなっている第２可動接点３４のドーム部３４Ａ中央上面に、その押し下げ力が、バネ体５１、絶縁シート５０を介して加わり、図２０に示すように、第２可動接点３４が節度を伴いながら下膨らみ状態に反転動作する。
【０１２３】
そして、第２可動接点３４のドーム部３４Ａの中央下面が、第１可動接点４３の中央孔４３Ｂから表出している中央固定接点１２Ａに接触して、第１可動接点４３を介し、第一のスイッチとして導通した二つの周辺固定接点１２Ｂ，１２Ｃに加えて中央固定接点１２Ａすなわち接続端子１３Ａとの間が導通して、第二のスイッチとして動作する。
【０１２４】
このとき、バネ体５１は既に反転している状態であるため、二段目の節度感触は、第２可動接点３４の反転動作によるもののみが得られる。
【０１２５】
そして、駆動体５２の操作部５２Ｂに対する押圧力を除くと、第２可動接点３４のドーム部３４Ａ中央が弾性復元力により上方への球面ドーム状に復帰し、また、第１可動接点４３の突出部４４，４５が、元の水平状態に復帰すると共に、バネ体５１も元の上方凸形のアーチ形状に戻って、駆動体５２を元の位置に押し上げる。
【０１２６】
これによって、第２可動接点３４のドーム部３４Ａの中央下面が、中央固定接点１２Ａから離れると共に、第１可動接点４３のリング部４３Ａ下面も二つの周辺固定接点１２Ｂと１２Ｃから離れ、各固定接点１２Ａ〜１２Ｃは電気的独立状態に戻り、図１７に示す第１および第２のスイッチが共にオフの状態に戻る。
【０１２７】
このように本実施の形態３によるプッシュオンスイッチも、第１および第２のスイッチの状態を共に節度を持って切り換えることができる細巾で防塵性に優れた二段動作のものにできる。
【０１２８】
なお、バネ体５１を適宜選定して使用するようにすると、第１スイッチの節度感触の異なるもの、すなわち一段目の操作時における操作力が異なるものを容易に得ることができる。
【０１２９】
また、非操作状態では、駆動体５２はバネ体５１で上方に付勢され、バネ体５１とカバー２０とで挟まれた構成であるため、駆動体５２のガタツキなども少ないものとなる。
【０１３０】
さらに、本実施の形態３によるものは、節度感触のない小さい力で弾性変形する第１可動接点４３を用いた構成ではあるが、駆動体５２が絶縁シート５０に対してバネ体５１の高さ分の上方位置に位置するようにしてあるため、誤って駆動体５２に触れたりした際にも、当該駆動体５２の押圧部５２Ａで絶縁シート５０を介して第２可動接点３４を押し、上記節度感触のない第１可動接点４３が周辺固定接点１２Ｂ，１２Ｃに誤接触することを防止できる。
【０１３１】
なお、本実施の形態３によるものは、実施の形態１によるものに対し、バネ体５１、第２可動接点３４、平板状の第１可動接点４３の弾性変形力を加えた操作力のものとなる。
【０１３２】
なお、第１および第２可動接点４３および３４やバネ体５１などの形状は、上記に説明した以外の形状のものでもよい。
【０１３３】
また、第２可動接点３４の反転動作力を比較的大きなものとして、バネ体５１との動作力との差が明確なものとしておくと使い易いものとなる。
【０１３４】
（実施の形態４）
本実施の形態４は、上記実施の形態３のものに対して、異なる形状のバネ体を用いて構成した事例を説明するものであり、本発明の特に請求項７および８に記載の発明に対応している。
【０１３５】
なお、この実施の形態４においても、実施の形態１および３の構成と同一構成の部分には同一符号を付して、詳細な説明を省略する。
【０１３６】
図２１は、本発明の第４の実施の形態によるプッシュオンスイッチの側面断面図、図２２は、同分解斜視図である。
【０１３７】
同図に示すように、本実施の形態４によるものも、スイッチケース４１の凹部４１Ａの内底面に配された周辺および中央固定接点１２Ｂ，１２Ｃおよび１２Ａと、これらに所定間隔をもって配された平板状の第１可動接点４３のリング部４３Ａおよびリング部４３Ａ上に載せられた第２可動接点３４により、スイッチ接点部が構成されている。
【０１３８】
なお、第１可動接点４３は、スイッチケース４１の中間段部４２に設けた溝部４２Ａ内に、リング部４３Ａ側方に突出形成された突出部４４，４５が配されて位置決めされていること、および第２可動接点３４の形状などは実施の形態３の場合と同じである。
【０１３９】
そして、上記第２可動接点３４を位置決めすると共に、スイッチ接点部を覆うようにして、スイッチケース４１の中間段部４２上には絶縁シート５０が貼り付けられている。
【０１４０】
また、スイッチケース４１の中間段部４２上に配されたバネ体６１上には、押圧部５２Ａの下端が絶縁シート５０上から所定間隔を保つ位置になるように駆動体５２が上下動可能に配され、その中間部５２Ｃ上面は、スイッチケース４１の凹部４１Ａを覆うようにスイッチケース４１に係合されたカバー２０下面に当接状態になって上方への位置規制がなされている。
【０１４１】
なお、スイッチケース４１、第１および第２可動接点４３および３４、駆動体５２などの形状や構成ならびに配置状態などは実施の形態３によるものと同じであるため、詳細な説明を省略する。
【０１４２】
そして、上述したスイッチケース４１の凹部４１Ａ内に収容配置されたバネ体６１は、実施の形態１および２による第１可動接点１４とほぼ同一形状に形成されたものを用いている。
【０１４３】
すなわち、その形状は、中央にリング部６１Ａを有し、このリング部６１Ａ側方に設けた突出部６２，６３の中間が下方に折り曲げられているものとなっているが、その動作時には節度感触を発しないものとなっている。
【０１４４】
そして、バネ体６１のリング部６１Ａの位置が、第１可動接点４３のリング部４３Ａの位置に合うようにして、バネ体６１の突出部６２，６３先端はスイッチケース４１の中間段部４２上に位置している。
【０１４５】
また、バネ体６１は、リング部６１Ａ外周の対向位置に、外方先端が上方側に曲げられて構成された一対の支持部６４を備え、この支持部６４の上端に駆動体５２の中間部５２Ｃの下面が載せられている。
【０１４６】
このとき、駆動体５２の押圧部５２Ａは、リング部６１Ａの中央孔６１Ｂに挿通され、その下端部はリング部６１Ａよりも下方に位置する状態となっているが、その下端部と絶縁シート５０の上面との間には、上述したように所定間隔が維持されている。
【０１４７】
なお、この駆動体５２の押圧部５２Ａと第２可動接点３４との中央位置は合わせ込まれている。
【０１４８】
本実施の形態４によるプッシュオンスイッチは以上のように構成されるものであり、次にその動作について説明する。
【０１４９】
まず、図２１に示す状態から駆動体５２上方の操作部５２Ｂを押圧操作すると、駆動体５２は、中間部５２Ｃ外周をスイッチケース４１の凹部４１Ａの内壁に案内されて下方に動き、それに伴って、当該中間部５２Ｃでバネ体６１の支持部６４を押し下げていくようになる。
【０１５０】
これにより、図２３に示すように、バネ体６１のリング部６１Ａ側方に設けた突出部６２，６３中間部分が撓んでいき、まず駆動体５２の押圧部５２Ａが、第２可動接点３４の中央部に対応する絶縁シート５０上の位置に当接状態となる。
【０１５１】
この状態から駆動体５２への押し下げ力は、絶縁シート５０を介して第１および第２可動接点４３および３４に加わるようになり、まずは第２可動接点３４の反転動作力よりも弱い力で弾性変形する第１可動接点４３の突出部４４，４５が弾性変形して、図２４に示すように、第１可動接点４３のリング部４３Ａが下方に下がって下面が二つの周辺固定接点１２Ｂと１２Ｃに接触し、両者の間を導通させて、第一のスイッチとして動作する。
【０１５２】
なお、このとき中央固定接点１２Ａは、電気的独立状態を維持していることは実施の形態３によるものと同じである。
【０１５３】
次に、この状態から更に駆動体５２に押し下げ力を加えると、その押し下げ力は絶縁シート５０を介して第２可動接点３４のドーム部３４Ａ中央上面に加わり、その押し下げ力が所定の大きさを越えると、図２５に示すように、第２可動接点３４が節度を伴いながら下膨らみ状態に反転動作して、その中央下面が中央固定接点１２Ａに接触し、第１可動接点４３を介して中央固定接点１２Ａも二つの周辺固定接点１２Ｂ，１２Ｃに導通し第二のスイッチとして動作する。
【０１５４】
このとき、バネ体６１は、支持部６４を除いて側面視で略平板状となるように撓められた状態となる。
【０１５５】
なお、第１可動接点４３およびバネ体６１は、いずれも動作時に節度感触のないものを用いているために、上記の一段目の操作時には、節度感触は感じられないものとなり、例えばカメラのシャッター部分に使用する場合に好適なものとなる。
【０１５６】
また、本実施の形態４によるものは、実施の形態１によるものに対し、バネ体６１、第２可動接点３４、平板状の第１可動接点４３の弾性変形力を加えた操作力のものとなる。
【０１５７】
そして、駆動体５２の操作部５２Ｂに対する押圧力を除くと、第２および第１可動接点３４および４３、バネ体６１は、各々元の形状に復帰して、駆動体５２を元の位置まで押し上げると共に、第２および第１のスイッチがオフ状態に戻る。
【０１５８】
このように本実施の形態４によるプッシュオンスイッチも、二段操作が可能で細巾な防塵性能が高くて、しかも非操作状態で、誤って駆動体５２に触れたりした際にも誤動作し難いものである。
【０１５９】
そして、上記実施の形態３によるものに対し、異なるバネ体６１を配するようにするのみで当該実施の形態４による一段目の操作時に節度感触のないものが得られるため、部材の共用化なども容易にでき、柔軟な対応ができ、製品コストの低減も可能となるものである。
【０１６０】
なお、このバネ体６１も、上記に説明した形状以外のものであってもよい。
【０１６１】
【発明の効果】
以上のように本発明によれば、可動接点全体の巾寸法が、第２可動接点が載せられている第１可動接点のリング部の直径と同等程度で済むので、これを収容するスイッチケースの巾寸法すなわちプッシュオンスイッチの巾寸法が、動作時に節度を伴ってオンとなる一段動作のプッシュオンスイッチと同等でありながら、駆動体の操作部を押圧操作することにより、まず二つの周辺固定接点の間が導通し、次に中央固定接点との間が導通する、細巾の二段動作のプッシュオンスイッチを実現できるという有利な効果が得られる。
【０１６２】
また、個々の第１可動接点と第２可動接点とを組み合わせた可動接点などを用いたので、第一スイッチと第二スイッチの個々の操作力などの設定および調整が容易にできるという有利な効果も得られる。
【図面の簡単な説明】
【図１】本発明の第１の実施の形態によるプッシュオンスイッチの正面断面図
【図２】同外観斜視図
【図３】同分解斜視図
【図４】同要部であるスイッチケースの平面図
【図５】同要部である第１可動接点の平面図
【図６】同押圧操作時の動作状態を説明する正面断面図
【図７】同押圧操作時の動作状態を説明する正面断面図
【図８】同他の構成の要部であるスイッチケースの平面図
【図９】同スイッチケースに第１可動接点を収容した状態の平面図
【図１０】同押圧操作時の接続状態を説明する回路図
【図１１】同押圧操作時の接続状態を説明する回路図
【図１２】同フィーリングカーブ図
【図１３】本発明の第２の実施の形態によるプッシュオンスイッチの側面断面図
【図１４】同外観斜視図
【図１５】同要部であるスイッチケースの正面図
【図１６】同プッシュオンスイッチを使用電子機器の配線基板に装着した状態の部分断面の側面図
【図１７】本発明の第３の実施の形態によるプッシュオンスイッチの側面断面図
【図１８】同分解斜視図
【図１９】同押圧操作時の動作状態を説明する正面断面図
【図２０】同押圧操作時の動作状態を説明する正面断面図
【図２１】本発明の第４の実施の形態によるプッシュオンスイッチの側面断面図
【図２２】同分解斜視図
【図２３】同押圧操作時の動作状態を説明する正面断面図
【図２４】同押圧操作時の動作状態を説明する正面断面図
【図２５】同押圧操作時の動作状態を説明する正面断面図
【図２６】従来のプッシュオンスイッチの外観斜視図
【図２７】同正面断面図
【図２８】同要部であるスイッチケースの平面図
【図２９】同要部である可動接点の平面図
【図３０】同押圧操作時の動作状態を説明する正面断面図
【図３１】同押圧操作時の動作状態を説明する正面断面図
【符号の説明】
１１，２１，２６，４１  スイッチケース
１１Ａ，２１Ａ，２６Ａ，４１Ａ  凹部
１１Ｂ，２６Ｂ，４１Ｂ  突起
１１Ｃ  内壁溝部
１２Ａ，２５Ａ，２７Ａ  中央固定接点
１２Ｂ，１２Ｃ，２５Ｂ，２５Ｃ，２７Ｂ，２７Ｃ  周辺固定接点
１３Ａ〜１３Ｃ，２４Ａ〜２４Ｃ，２９Ａ〜２９Ｃ  接続端子
１４，４３  第１可動接点
１５Ａ，４３Ａ，６１Ａ  リング部
１５Ｂ，４３Ｂ，６１Ｂ  中央孔
１５Ｃ，３４Ｂ  突起部
１６，１７，４４，４５，６２，６３  突出部
１６Ａ，１７Ａ  脚部
１６Ｂ，１７Ｂ  連結部
１６Ｃ，１６Ｄ，１７Ｃ，１７Ｄ  端部
１８Ａ〜１８Ｄ，２２Ａ〜２２Ｄ  段部
１９，５２  駆動体
１９Ａ，５２Ａ  押圧部
１９Ｂ，５２Ｂ  操作部
１９Ｃ，５２Ｃ  中間部
２０，３０  カバー
２０Ａ  貫通孔
２０Ｂ，３０Ａ  爪
２３  コモン接点
２４Ｄ  コモン接続端子
２８Ａ〜２８Ｄ  壁部
２８Ｅ  拡大部
３１  配線基板
３１Ａ  孔
３２，３３，３５  フィーリングカーブ
３４  第２可動接点
３４Ａ  ドーム部
４２  中間段部
４２Ａ  溝部
５０  絶縁シート
５１，６１  バネ体
５１Ａ  下端部
５１Ｂ  頂点部
６４  支持部
【図１】
0004075608.tif 000002
【図２】
0004075608.tif 000003
【図３】
0004075608.tif 000004
【図４】
0004075608.tif 000005
【図５】
0004075608.tif 000006
【図６】
0004075608.tif 000007
【図７】
0004075608.tif 000008
【図８】
0004075608.tif 000009
【図９】
0004075608.tif 000010
【図１０】
0004075608.tif 000011
【図１１】
0004075608.tif 000012
【図１２】
0004075608.tif 000013
【図１３】
0004075608.tif 000014
【図１４】
0004075608.tif 000015
【図１５】
0004075608.tif 000016
【図１６】
0004075608.tif 000017
【図１７】
0004075608.tif 000018
【図１８】
0004075608.tif 000019
【図１９】
0004075608.tif 000020
【図２０】
0004075608.tif 000021
【図２１】
0004075608.tif 000022
【図２２】
0004075608.tif 000023
【図２３】
0004075608.tif 000024
【図２４】
0004075608.tif 000025
【図２５】
0004075608.tif 000026
【図２６】
0004075608.tif 000027
【図２７】
0004075608.tif 000028
【図２８】
0004075608.tif 000029
【図２９】
0004075608.tif 000030
【図３０】
0004075608.tif 000031
【図３１】
0004075608.tif 000032